(57)【要約】【課題】  複数の入力端子と複数の出力端子とを有する電子機器の自己診断を、外部の専用の測定器を用いることなく、且つ、機器のハードウェア構成の大型化・複雑化を招くことなく行えるようにする。【解決手段】  入力端子ｉ１〜ｉ４への入力信号にデジタル信号処理を施して出力端子ｏ１〜ｏ４から出力させるためのデジタルシグナルプロセッサ１４と、デジタルシグナルプロセッサ１４を制御する上位プロセッサ１５とを備え、動作確認時には、入力端子ｉ１〜ｉ４をそれぞれ出力端子ｏ１〜ｏ４のいずれかに接続し、上位プロセッサ１５から、自己診断用プログラムとして、信号を発振して出力端子ｏ１〜ｏ４から出力させるとともに入力端子ｉ１〜ｉ４への入力信号に基づいて所定の測定項目の測定を行うプログラムを、デジタルシグナルプロセッサ１４にダウンロードする。【選択図】  図４
2006235727.tif 000002
【特許請求の範囲】
【請求項１】
複数の入力端子と、
複数の出力端子と、
前記入力端子への入力信号にデジタル信号処理を施して前記出力端子から出力させるためのデジタルシグナルプロセッサと、
前記デジタルシグナルプロセッサを制御する上位プロセッサと
を備え、
動作確認時には、前記入力端子をそれぞれ前記出力端子のいずれかに接続し、前記上位プロセッサから、自己診断用プログラムとして、信号を発振して前記出力端子から出力させるとともに前記入力端子への入力信号に基づいて所定の測定項目の測定を行うプログラムを、前記デジタルシグナルプロセッサにダウンロードすることを特徴とする電子機器。
【請求項２】
請求項１に記載の電子機器において、
前記所定の測定項目は、所定周波数の信号を発振していずれかの前記入力端子に入力させ、他のいずれかの前記入力端子への信号の入力レベルを求めることによるクロストーク測定を含むことを特徴とする電子機器。 
【請求項３】
請求項１に記載の電子機器において、
前記所定の測定項目は、信号を発振していずれかの前記入力端子に入力させた場合の該入力端子への入力レベルと、該入力端子に信号を入力させなかった場合の該入力端子への入力レベルとの比を求めることによるＳ／Ｎ比測定を含むことを特徴とする電子機器。
【請求項４】
請求項１に記載の電子機器において、
前記所定の測定項目は、所定周波数の信号を発振していずれかの前記入力端子に入力させ、該入力端子への入力信号から前記所定周波数の成分をデジタルフィルタ処理によって減衰させて残りの成分のレベルを求めることによる高調波歪測定を含むことを特徴とする電子機器。
【請求項５】
請求項１に記載の電子機器において、
前記所定の測定項目は、周波数を複数通りに切り替えつつ信号を発振していずれかの前記入力端子に入力させ、該入力端子への入力レベルを求めることによる周波数特性測定を含むことを特徴とする電子機器。
【請求項６】
請求項１に記載の電子機器において、
前記入力端子への入力信号のゲインを調節するアンプをさらに備えており、
前記自己診断用プログラムは、前記アンプのゲインが高い場合には発振する信号のレベルを下げさせ、前記アンプのゲインが低い場合には発振する信号のレベルを上げさせることを特徴とする電子機器。
【請求項７】
複数の入力端子と、
複数の出力端子と、
前記入力端子への入力信号にデジタル信号処理を施して前記出力端子から出力させるためのデジタルシグナルプロセッサと、
前記デジタルシグナルプロセッサを制御する上位プロセッサと
を備えた電子機器の自己診断方法において、
前記入力端子をそれぞれ前記出力端子のいずれかに接続し、前記上位プロセッサから、自己診断用プログラムとして、信号を発振して前記出力端子から出力させるとともに前記入力端子への入力信号に基づいて所定の測定項目の測定を行うプログラムを、前記デジタルシグナルプロセッサにダウンロードすることを特徴とする自己診断方法。
【発明の詳細な説明】
【技術分野】
【０００１】
本発明は、複数の入力端子と複数の出力端子とを有する電子機器、及び、そうした電子機器における自己診断方法に関する。
【背景技術】
【０００２】
従来、複数の入力端子と複数の出力端子とを有する電子機器（例えばデジタルオーディオミキサー）の製造時やメンテナンス時にその動作確認を行う場合には、一般に外部の専用の測定器を用いていた。すなわち、製造時には、製造ライン上に専用の測定器を配置して動作確認を行っていた。また、メンテナンス時には、その電子機器を、専用の測定器を用意した場所にまで搬送して、動作確認を行っていた。
【０００３】
他方、データ入出力用の外部インタフェースを有するデータストリーマの動作確認を行うための技術としては、外部インタフェースを２つ設け、それらの外部インタフェース同士を接続して、１つの外部インタフェースから出力したデータを別の外部インタフェースから入力して、出力データと入力データとを比較照合することによって自己診断を行う技術が、従来から提案されている（例えば、特許文献１参照。）。
【０００４】
また、入力部，出力部をそれぞれ１つずつ有する特殊効果用の映像処理回路の動作確認を行うための技術としては、自己診断用の基準信号を発生するための基準信号発生器や、映像処理回路を入力部側，基準信号発生器側に切り替えて接続するための切替回路を設け、動作確認時には、出力部と入力部とを接続し、まず映像処理回路を基準信号発生器側に切り替えて基準信号発生器から基準信号を発生させて、その基準信号を特殊効果を施さないまま出力部から出力させ、次に映像処理回路を入力部側に切り替え、入力部に入力した基準信号に特殊効果を施して、特殊効果を施した信号のデータ値を基準値と比較することによって自己診断を行う技術が、従来から提案されている（例えば、特許文献２参照。）。
【０００５】
【特許文献１】特開２００１−６０１７７号公報（段落番号００１２、００１８〜００１９、図１）
【特許文献２】特開２０００−２２４６１６号公報（段落番号００１４〜００２３、図１〜２）
【発明の開示】
【発明が解決しようとする課題】
【０００６】
しかし、上記特許文献１，２に記載の技術は、いずれも入力端子（外部インタフェースあるいは入力部），出力端子（外部インタフェースあるいは出力部）を１つずつしか有しない機器の自己診断を行うものである。
【０００７】
さらに、上記特許文献１に記載の技術は、本来外部インタフェースが１つあれば足りるデータストリーマに新たな外部インタフェースを追加するものであり、上記特許文献２に記載の技術も、基準信号発生器や切替回路という、本来の映像処理回路の処理には不必要な回路を新たに追加するものである。したがって、機器のハードウェア構成の大型化・複雑化を招いてしまう。
【０００８】
本発明は、上述の点に鑑み、複数の入力端子と複数の出力端子とを有する電子機器の自己診断を、外部の専用の測定器を用いることなく、且つ、機器のハードウェア構成の大型化・複雑化を招くことなく行えるようにすることを課題としてなされたものである。
【課題を解決するための手段】
【０００９】
この課題を解決するために、本発明に係る電子機器は、複数の入力端子と、複数の出力端子と、入力端子への入力信号にデジタル信号処理を施して出力端子から出力させるためのデジタルシグナルプロセッサと、このデジタルシグナルプロセッサを制御する上位プロセッサとを備え、動作確認時には、入力端子をそれぞれ出力端子のいずれかに接続し、上位プロセッサから、自己診断用プログラムとして、信号を発振して出力端子から出力させるとともに入力端子への入力信号に基づいて所定の測定項目の測定を行うプログラムを、デジタルシグナルプロセッサにダウンロードすることを特徴とする。
【００１０】
この電子機器は、通常動作時（その電子機器としての本来の動作を行うとき）には、その本来の動作のためのプログラムを上位プロセッサからデジタルシグナルプロセッサにダウンロードすれば、入力端子への入力信号にデジタル信号処理を施して出力端子から出力することができる。
【００１１】
他方、動作確認時には、入力端子をそれぞれ出力端子のいずれかに接続し、上位プロセッサから、自己診断用プログラムとして、信号を発振して出力端子から出力させるとともに入力端子への入力信号に基づいて所定の測定項目の測定を行うプログラムを、デジタルシグナルプロセッサにダウンロードする。
【００１２】
すると、デジタルシグナルプロセッサ自体から発振されて出力端子及び入力端子を経てデジタルシグナルプロセッサに再入力した信号に基づき、この所定の測定項目の測定が行われることによって、この電子機器の自己診断が行われる。
【００１３】
これにより、複数の入力端子と複数の出力端子とを有する電子機器の自己診断を、外部の専用の測定器を用いることなく、且つ、機器のハードウェア構成の大型化・複雑化を招くことなく行うことができる。
【００１４】
なお、この自己診断用プログラムの測定項目としては、単なるデータ同士の比較にとどまらず、例えば以下のような項目を含めることが好適である。
・所定周波数の信号を発振していずれかの入力端子に入力させ、他のいずれかの入力端子への信号の入力レベルを求めることによるクロストーク測定。
・信号を発振していずれかの入力端子に入力させた場合のその入力端子への入力レベルと、その入力端子に信号を入力させなかった場合のその入力端子への入力レベルとの比を求めることによるＳ／Ｎ比測定。
・所定周波数の信号を発振していずれかの入力端子に入力させ、その入力端子への入力信号からその所定周波数の成分をデジタルフィルタ処理によって減衰させて残りの成分のレベルを求めることによる高調波歪測定。
・周波数を複数通りに切り替えつつ信号を発振していずれかの入力端子に入力させ、その入力端子への入力レベルを求めることによる周波数特性測定。
【００１５】
また、この電子機器が、入力端子への入力信号のゲインを調節するアンプをさらに備えている場合には、一例として、自己診断用プログラムは、このアンプのゲインが高い場合には発振する信号のレベルを下げさせ、このアンプのゲインが低い場合には発振する信号のレベルを上げさせるものであることが好適である。
【００１６】
それにより、デジタルシグナルプロセッサへの入力レベルに対するこのアンプのゲインの影響を排除して、適正に自己診断を行うことができるようになる。
【００１７】
次に、本発明に係る自己診断方法は、複数の入力端子と、複数の出力端子と、入力端子への入力信号にデジタル信号処理を施して出力端子から出力させるためのデジタルシグナルプロセッサと、このデジタルシグナルプロセッサを制御する上位プロセッサとを備えた電子機器の自己診断方法において、入力端子をそれぞれ出力端子のいずれかに接続し、上位プロセッサから、自己診断用プログラムとして、信号を発振して出力端子から出力させるとともに入力端子への入力信号に基づいて所定の測定項目の測定を行うプログラムを、デジタルシグナルプロセッサにダウンロードすることを特徴とする。
【００１８】
この自己診断方法では、入力端子をそれぞれ出力端子のいずれかに接続し、上位プロセッサから、自己診断用プログラムとして、信号を発振して出力端子から出力させるとともに入力端子への入力信号に基づいて所定の測定項目の測定を行うプログラムを、デジタルシグナルプロセッサにダウンロードする。
【００１９】
すると、デジタルシグナルプロセッサ自体から発振されて出力端子及び入力端子を経てデジタルシグナルプロセッサに再入力した信号に基づき、この所定の測定項目の測定が行われることによって、この電子機器の自己診断が行われる。
【００２０】
これにより、複数の入力端子と複数の出力端子とを有する電子機器の自己診断を、外部の専用の測定器を用いることなく、且つ、機器のハードウェア構成の大型化・複雑化を招くことなく行うことができる。
【発明の効果】
【００２１】
本発明によれば、複数の入力端子と複数の出力端子とを有する電子機器の自己診断を、外部の専用の測定器を用いることなく、且つ、機器のハードウェア構成の大型化・複雑化を招くことなく行えるという効果が得られる。
【発明を実施するための最良の形態】
【００２２】
以下、本発明をデジタルオーディオミキサーに適用した例について、図面を用いて具体的に説明する。図１〜図６は、本発明を適用するデジタルオーディオミキサー１の構成や処理や機能を示す図である。なお、これらの図では４入力４出力のデジタルオーディオミキサーを示しているが、本発明を適用するデジタルオーディオミキサーの入力端子や出力端子の数には限定はない。
【００２３】
図１に示すように、このデジタルオーディオミキサー１は、４つの入力端子ｉ１〜ｉ４と４つの出力端子ｏ１〜ｏ４とを有しており、入力端子ｉ１〜ｉ４に入力した音声信号に対して、それらの音声を混合したり音量を調整するなどの処理を施して、出力端子ｏ１〜ｏ４から出力する。
【００２４】
デジタルオーディオミキサーは、内部的にはデジタル信号処理を行うものであるが、入出力する音声信号はアナログまたはデジタルのどちらでもよい。図２は、デジタルオーディオミキサー１の構成を示すブロック図である。入力端子ｉ１は、マイクロホンからの音声信号を入力するアナログ音声入力端子であり、入力端子ｉ２はアナログライン音声入力端子である。入力端子ｉ１に入力したアナログ音声信号は、アンプ２でゲインを調整され、Ａ／Ｄ変換器３でデジタル変換されて、信号処理系７に送られる。入力端子ｉ２に入力したアナログ音声信号は、Ａ／Ｄ変換器４でデジタル変換されて、信号処理系７に送られる。
【００２５】
また、入力端子ｉ３は、ＣＤプレーヤからの音声信号を入力するデジタル音声入力端子であり、入力端子ｉ４は、パーソナルコンピュータからの音声信号を入力するデジタル音声入力端子である。これらの入力端子ｉ３，ｉ４に入力したデジタル音声信号は、信号処理系８で処理可能なデータ形式に変換するためのデコーダ５，６を経て、信号処理系７に送られる。
【００２６】
出力端子ｏ１，ｏ２は、それぞれアナログ音声出力端子である。信号処理系７でデジタル信号処理を施されたデジタル音声信号は、それぞれＤ／Ａ変換器８，９でアナログ変換されて、出力端子ｏ１，ｏ２から出力される。また、出力端子ｏ３，ｏ４は、それぞれデジタル音声出力端子である。信号処理系７でデジタル信号処理を施されたデジタル音声信号は、それぞれエンコーダ１０，１１でデータ形式を変換されて、出力端子ｏ３，ｏ４から出力される。
【００２７】
図３，図４は、図２の信号処理系７のハードウエア構成を示すブロック図である。図３に示すように、信号処理系７は、操作パネル１２とプロセッサー部１３とで構成されている。操作パネル１２には、図示は省略するが、各種の操作子と、文字情報や画像情報を表示するための表示部とが設けられている。これらの操作子には、通常のデジタルオーディオミキサーにおけるのと同様なフェーダーやスイッチやゲイン調整釦の他に、通常モードと自己診断モードとのいずれかを選択するためのモード選択釦や、自己診断モードにおける後述のような測定項目を選択するための項目選択釦が含まれている。
【００２８】
操作パネル１２からは、各操作子の操作に応じた制御データがプロセッサー部１３に送られる。プロセッサー部１３はこの制御データに従ってデジタル音声信号を処理し、処理結果を示すメーターデータ（meter data：処理結果を、計測機器の表示盤のようにして表示させるためのデータ）を操作パネル１２に返送する。操作パネル１２では、このメーターデータに対応する画像情報等が表示部に表示される。
【００２９】
プロセッサー部１３は、図４に示すように、ＤＳＰ（デジタルシグナルプロセッサ）１４と、ＤＳＰ１４を制御する上位プロセッサであるＣＰＵ１５とで構成されている。プロセッサー部１３で行う処理のハードウェア的な切り分けとしては、デジタル音声信号に対する処理そのものは、リアルタイム性を保証するためにＤＳＰ１４で行い、制御処理のような比較的応答性を要求されない処理は、ＣＰＵ１５で行うようになっている。ＣＰＵ１５は、操作パネル１２からの制御データ等に応じて、プログラムをＤＳＰ１４にダウンロードしたり、ＤＳＰ１４に制御データを送る。ＤＳＰ１４は、この制御データに従ってこのプログラムを実行することによってデジタル音声信号を処理し、処理結果等を示すメーターデータをＣＰＵ１５に返送する。
【００３０】
図５は、ＣＰＵ１５が、図３の操作パネル１２のモード選択釦の操作に関連して実行する処理を示すフローチャートである。この処理では、最初に、このモード選択釦で選択されているモードが新たに切り替わるまで待機する（ステップＳ１）。そして、モードが切り替わると、通常モードに切り替わったのか否かを判断する（ステップＳ２）。
【００３１】
イエスであれば、デジタルオーディオミキサーとしての本来の動作のためのプログラム（通常動作用プログラムと呼ぶことにする）を、ＤＳＰ１４にダウンロードする（ステップＳ３）。そして、ＤＳＰ１４にこの通常動作用プログラムの実行を指示して（ステップＳ４）、ステップＳ１に戻る。なお、ステップＳ２でノーとなった場合（自己診断モードに切り替わった場合）の処理については後述する。
【００３２】
ＤＳＰ１４は、このプログラムを実行することにより、デジタル音声信号に対する処理を行い、処理結果等を示すメーターデータをＣＰＵ１５に送る。ＣＰＵ１５は、このメーターデータに対応する画像情報等を、図３の操作パネル１２の表示部に表示させる。
【００３３】
このプログラムによってＤＳＰ１４が音声信号に対して行う処理は、機能的には、アナログオーディオミキサーにおいてハードウェア回路によって音声信号に対して行われる処理と等価である。図６は、このプログラムによるＤＳＰ１４の機能を、ハードウェア回路に置き換えて示す機能ブロック図である。図１，図２の各入力端子ｉ１〜ｉ４への入力音声信号に対し、図３の操作パネル１２の操作に応じて、それぞれイコライザー／フェーダ２１〜２４で、特定の周波数成分の音量を調整したり全体の音量を調整する。
【００３４】
イコライザー／フェーダ２１での処理を経た音声信号は、スイッチ回路２５〜２８に送る。イコライザー／フェーダ２２での処理を経た音声信号は、スイッチ回路２９〜３２に送る。イコライザー／フェーダ２３での処理を経た音声信号は、スイッチ回路３３〜３６に送る。イコライザー／フェーダ２４での処理を経た音声信号は、スイッチ回路３７〜４０に送る。
【００３５】
そして、操作パネル１２の操作に応じて、スイッチ回路２５〜４０のオン／オフを切り替えながら、スイッチ回路２５，２９，３３及び３７の出力信号を混合器４１で混合し、スイッチ回路２６，３０，３４及び３８の出力信号を混合器４２で混合し、スイッチ回路２７，３１，３５及び３９の出力信号を混合器４３で混合し、スイッチ回路２８，３２，３６及び４０の出力信号を混合器４４で混合する。
【００３６】
混合器４１〜４４で混合した音声信号は、操作パネル１２の操作に応じてそれぞれフェーダ４５〜４８で全体の音量を調整した後、それぞれ図１，図２の出力端子ｏ１〜ｏ４から出力する。
【００３７】
図７は、デジタルオーディオミキサー１の使用状況を例示する図である。放送局内の調整室５１に、デジタルオーディオミキサー１が設置される。そして、例えば入力端子ｉ１には、この放送局内のスタジオ５２に設けられたマイクアンプ５３から送られるアナログ音声信号が入力する。また、例えば出力端子ｏ１からは、スタジオ５２に設けられたアンプ付きモニター５４にアナログ音声信号が送られる。
【００３８】
次に、このデジタルオーディオミキサー１が自己診断によって動作確認を行うための構成や処理について説明する。
【００３９】
デジタルオーディオミキサー１の自己診断を行うときには、図８に例示するように、アナログオーディオケーブル（図示略）を用いて、出力端子ｏ１を入力端子ｉ１に接続し、出力端子ｏ２を入力端子ｉ２に接続する。また、デジタルオーディオケーブル（図示略）を用いて、出力端子ｏ３を入力端子ｉ３に接続し、出力端子ｏ４を入力端子ｉ４に接続する。このようにして、全ての入力端子ｉ１〜ｉ４と全ての出力端子ｏ１〜ｏ４とを一対一に接続する。
【００４０】
入力端子ｉ１〜ｉ４と出力端子ｏ１〜ｏ４との具体的な接続形態は、デジタルオーディオミキサー１の使用状況等に応じて、通常動作時に用いているオーディオケーブルを一部兼用したり、あるいは別のオーディオケーブルで出力端子ｏ１〜ｏ４をそれぞれ入力端子ｉ１〜ｉ４に直接接続するなど、適宜の形態を選択してよい。図９は、図７の使用状況に対応して、自己診断時の入力端子ｉ１と出力端子ｏ１との具体的な接続形態を例示する図である。この例では、スタジオ５２内の太字で描いたアナログオーディオケーブル５５の部分以外は、通常動作時に用いているアナログオーディオケーブル（調整室５１とスタジオ５２とを結んでいるケーブル）を兼用している。
【００４１】
なお、ここでは入力端子ｉ１〜ｉ４の数と出力端子ｏ１〜ｏ４の数とが等しいので一対一に接続しているが、例えば図１０に示すように出力端子の数のほうが少ないデジタルオーディオミキサーの場合には、出力端子ｏ１を入力端子ｉ１及びｉ２に接続し、出力端子ｏ２を入力端子ｉ３及びｉ４に接続するというようにして、全ての入力端子と全ての出力端子とを多対一に接続すればよい。
【００４２】
図８に示したようにして入力端子ｉ１〜ｉ４と出力端子ｏ１〜ｏ４とを接続すると、図３の操作パネル１２で自己診断モードを選択する。すると、図４のＣＰＵ１５が実行する図５の処理において、ステップＳ２でノーとなり、ステップＳ５に移行する。
【００４３】
ステップＳ５では、自己診断用プログラムをＤＳＰ１４にダウンロードする。この自己診断用プログラムは、信号を発振して出力端子から出力させるとともに入力端子への入力信号に基づいて各種の測定項目の測定を行うプログラムであるが、その具体的な処理内容については後述する。
【００４４】
続いて、図３の操作パネル１２の項目選択釦で新たにいずれかの測定項目が選択されたか否かの判断（ステップＳ６）と、操作パネル１２のモード選択釦で選択されているモードが新たに切り替わった（すなわち再び通常モードに切り替わった）か否かの判断（ステップＳ７）とを、いずれかでイエスになるまで繰り返す。
【００４５】
ステップＳ７でイエスになると、ステップＳ３に移行する。他方、ステップＳ６でイエスになると、ダウンロードした自己診断用プログラムのうち、その選択された測定項目についての処理の実行を、図４のＤＳＰ１４に指示する（ステップＳ８）。そしてステップＳ６に戻る。
【００４６】
ここで、操作パネル１２の項目選択釦では、次の（１）〜（５）の各測定項目を選択することができるようになっている。
（１）レベル測定
（２）アナログ入出力端子についてのクロストーク測定 
（３）アナログ入出力端子についてのＳ／Ｎ比測定
（４）アナログ入出力端子についての高調波歪（ＴＨＤ）測定
（５）アナログ入出力端子についての周波数特性測定
【００４７】
次に、これらの各測定項目に対応させて、ＤＳＰ１４の機能を、前出の図６と同様に、ハードウェア回路に置き換えた機能ブロック図で示すことにする。
【００４８】
まず、図１１は、上記（１）のレベル測定が選択された場合のＤＳＰ１４の機能を例示する機能ブロック図である。この場合には、ＤＳＰ１４は、デジタル信号処理によって実現されるオシレータ６１で、或るレベルＬの正弦波信号Ｓを発振する。
【００４９】
そして、この信号Ｓを１入力４出力の切替スイッチ回路６２に送り、まず、切替スイッチ回路６２を出力端子ｏ１側に切り替えることにより、出力端子ｏ１からこの信号Ｓを出力させる。
【００５０】
図８に示したように、出力端子ｏ１は入力端子ｉ１に接続されているので、この信号Ｓは、入力端子ｉ１から再びＤＳＰ１４に入力される。ＤＳＰ１４は、各入力端子ｉ１〜i４からの入力信号を４入力１出力の切替スイッチ６３に送り、この切替スイッチ６３を入力端子ｉ１側に切り替えて、入力端子ｉ１からの入力信号をコンパレータ６４に送る。そして、この入力信号のレベルを、コンパレータ６４でレベルＬと比較する。
【００５１】
次に、切替スイッチ回路６２を出力端子ｏ２側に切り替えることにより、出力端子ｏ２からこの信号Ｓを出力させる。図８に示したように、出力端子ｏ２は入力端子ｉ２に接続されているので、この信号Ｓは、入力端子ｉ２から再びＤＳＰ１４に入力される。ＤＳＰ１４は、切替スイッチ６３を入力端子ｉ２側に切り替えて、入力端子ｉ２からの入力信号のレベルをコンパレータ６４でレベルＬと比較する。
【００５２】
次に、切替スイッチ回路６２を出力端子ｏ３側に切り替えることにより、出力端子ｏ３からこの信号Ｓを出力させる。図８に示したように、出力端子ｏ３は入力端子ｉ３に接続されているので、この信号Ｓは、入力端子ｉ３から再びＤＳＰ１４に入力される。ＤＳＰ１４は、切替スイッチ６３を入力端子ｉ３側に切り替えて、入力端子ｉ３からの入力信号のレベルをコンパレータ６４でレベルＬと比較する。
【００５３】
次に、切替スイッチ回路６２を出力端子ｏ４側に切り替えることにより、出力端子ｏ４からこの信号Ｓを出力させる。図８に示したように、出力端子ｏ４は入力端子ｉ４に接続されているので、この信号Ｓは、入力端子ｉ４から再びＤＳＰ１４に入力される。ＤＳＰ１４は、切替スイッチ６３を入力端子ｉ４側に切り替えて、入力端子ｉ４からの入力信号の入力信号のレベルをコンパレータ６４でレベルＬと比較する。そして処理を終了する。
【００５４】
なお、入力端子ｉ１からＤＳＰ１４に入力する信号のレベルは、図３の操作パネル１２のゲイン調整釦の操作に応じて図２のアンプ２のゲインが切り替えられることによって変化する。そこで、例えばアンプ２がゲインを３段階に切替可能なものであるとすると、入力端子ｉ１についてのレベル測定は、アンプ２のゲインを３段階に切り替えるとともに、このゲインの変化と反比例するように信号Ｓ１のレベルＬを３段階に切り替えて（ゲインが高い場合にはレベルＬを下げ、ゲインが低い場合にはレベルＬを上げて）行う。以下のクロストーク測定，Ｓ／Ｎ比測定，高調波歪測定，周波数特性測定でも、入力端子ｉ１についての測定を行うときは同じである。
【００５５】
図１２は、上記（２）のクロストーク測定が選択された場合のＤＳＰ１４の機能を例示する機能ブロック図であり、図１１と共通する部分には同一符号を付している。この場合には、ＤＳＰ１４は、オシレータ６１で発振したレベルＬの正弦波信号Ｓを、まず、切替スイッチ回路６２を出力端子ｏ２側に切り替えることによって出力端子ｏ２から出力させる。
【００５６】
また、切替スイッチ６３を入力端子ｉ１側に切り替えて、入力端子ｉ１からの入力信号をレベル検出回路６５に送る。そして、この入力信号のレベルをレベル検出回路６５で検出する。このようにして、入力端子ｉ１についてのクロストーク（入力端子ｉ２側からのクロストーク）を側定する。
【００５７】
次に、切替スイッチ６２，６３をそれぞれ出力端子ｏ１，入力端子ｉ２側に切り替えて、入力端子ｉ２からの入力信号のレベルをレベル検出回路６５で検出することにより、入力端子ｉ２についてのクロストーク（入力端子ｉ１側からのクロストーク）を側定する。そして処理を終了する。
【００５８】
図１３は、上記（３）のＳ／Ｎ比測定が選択された場合のＤＳＰ１４の機能を例示する機能ブロック図であり、図１２と共通する部分には同一符号を付している。この場合には、ＤＳＰ１４は、まず、オシレータ６１から信号Ｓを発振することなく、切替スイッチ６３を入力端子ｉ１側に切り替えて、入力端子ｉ１からの入力信号のレベルをレベル検出回路６５で検出する。そして、検出されたレベル値と、オシレータ６１から発振する信号ＳのレベルＬ（前述のレベル測定時のレベルＬ）との比を除算器６６によって求める。このようにして、入力端子ｉ１についてのＳ／Ｎ比を側定する。
【００５９】
次に、切替スイッチ６２，６３をそれぞれ出力端子ｏ２，入力端子ｉ２側に切り替えて同じ処理を行うことにより、入力端子ｉ２についてのＳ／Ｎ比を側定する。そして処理を終了する。
【００６０】
図１４は、上記（４）の高調波歪測定が選択された場合のＤＳＰ１４の機能を例示する機能ブロック図であり、図１２と共通する部分には同一符号を付している。この場合には、ＤＳＰ１４は、オシレータ６１で、レベルＬの正弦波信号Ｓを或る周波数Ｆ（例えば１ｋＨｚ）で発振する。そして、まず、切替スイッチ回路６２を出力端子ｏ１側に切り替えることにより、この信号Ｓを出力端子ｏ１から出力させる。
【００６１】
また、切替スイッチ６３を入力端子ｉ１側に切り替え、入力端子ｉ１からの入力信号中の周波数Ｆの成分をノッチ・フィルタ６７で除去する。そして、ノッチ・フィルタ６８の出力信号のレベルを、レベル検出回路６５で検出する。このようにして、入力端子ｉ１についての高調波歪を側定する。
【００６２】
次に、切替スイッチ６２，６３をそれぞれ出力端子ｏ２，入力端子ｉ２側に切り替えて同じ処理を行うことにより、入力端子ｉ２についての高調波歪を側定する。そして処理を終了する。
【００６３】
図１５は、上記（５）の周波数特性測定が選択された場合のＤＳＰ１４の機能を例示する機能ブロック図であり、図１２と共通する部分には同一符号を付している。この場合には、ＤＳＰ１４は、オシレータ６１で、レベルＬの正弦波信号Ｓを或る周波数Ｆ１（例えば１ｋＨｚ）で発振する。そして、まず、切替スイッチ回路６２を出力端子ｏ１側に切り替えることにより、この信号Ｓを出力端子ｏ１から出力させる。
【００６４】
また、切替スイッチ６３を入力端子ｉ１側に切り替えて、入力端子ｉ１からの入力信号のレベルをレベル検出回路６５で検出する。
【００６５】
そして、切替スイッチ６２，６３をそれぞれ出力端子ｏ１，入力端子ｉ１側に切り替えたまま、オシレータ６１での信号Ｓの発振周波数をＦ２（例えば２０Ｈｚ）に切り替えて、入力端子ｉ１からの入力信号のレベルをレベル検出回路６５で検出する。さらに、切替スイッチ６２，６３をそれぞれ出力端子ｏ１，入力端子ｉ１側に切り替えたまま、オシレータ６１での信号Ｓの発振周波数を今度はＦ３（例えば２０ｋＨｚ）に切り替えて、入力端子ｉ１からの入力信号のレベルをレベル検出回路６５で検出する。このようにして、入力端子ｉ１についての周波数特性を側定する。
【００６６】
次に、切替スイッチ６２，６３をそれぞれ出力端子ｏ２，入力端子ｉ２側に切り替えて同じ処理を行うことにより、入力端子ｉ２についての周波数特性を側定する。そして処理を終了する。
【００６７】
なお、ＤＳＰ１４は、これらの各測定項目の測定を行う際に、その測定結果を示すメーターデータをＣＰＵ１５に送る。ＣＰＵ１５は、このメーターデータに対応する画像情報等を、図３の操作パネル１２の表示部に表示させる。
【００６８】
以上に説明したように、このデジタルオーディオミキサー１によれば、外部の専用の測定器を用いることなく、且つ、デジタルオーディオミキサー１のハードウェア構成の大型化・複雑化を招くことなく、単なるデータ同士の比較（レベル測定）にとどまらない多様な項目（クロストーク測定，Ｓ／Ｎ比測定，高調波歪測定，周波数特性測定）の測定によって自己診断を行うことができる。
【００６９】
したがって、例えば図７に示したようにデジタルオーディオミキサー１を放送局内に設置している場合に、専用の測定器を用意した場所にまでデジタルオーディオミキサー１を搬送することなく、設置現場でデジタルオーディオミキサー１の動作確認を行うことができる。
【００７０】
また、例えばデジタルオーディオミキサー１の製造時にも、製造ライン上に専用の測定器を配置することなく、デジタルオーディオミキサー１の動作確認を行うことができる。
【００７１】
さらに、前述のように、入力端子ｉ１についての測定は、アンプ２のゲインを切り替えるとともに、このゲインの変化と反比例するように信号Ｓ１のレベルＬを切り替えて（ゲインが高い場合にはレベルＬを下げ、ゲインが低い場合にはレベルＬを上げて）行うので、ＤＳＰ１４への入力レベルに対するアンプ２のゲインの影響を排除して、適正に自己診断を行うことができる。
【００７２】
なお、以上の例では、デジタルオーディオミキサー１の自己診断を行うためのプログラムを、ＣＰＵ１５からＤＳＰ１４にダウンロードしている。しかし、別の例として、デジタルオーディオミキサー１以外の電子機器（複数の入力端子と複数の出力端子とを有するもの）の動作確認を行うためのプログラムを、ＣＰＵ１５からＤＳＰ１４にダウンロードするようにしてもよい。それにより、デジタルオーディオミキサー１を、他の電子機器の動作確認を行うための測定器としても兼用することができるようになる。
【００７３】
また、以上の例ではオーディオミキサーに本発明を適用しているが、これに限らず、オーディオミキサー以外のデジタルオーディオ機器であって複数の入力端子と複数の出力端子とを有するもの（例えばスイッチャーやオーディオレコーダー）にも本発明を適用してよい。さらには、オーディオ機器以外の電子機器であって複数の入力端子と複数の出力端子とを有するものにも本発明を適用してよい。
【図面の簡単な説明】
【００７４】
【図１】本発明を適用するデジタルオーディオミキサーの入出力端子を示す図である。
【図２】図１のデジタルオーディオミキサーの構成を示ブロックす図である。
【図３】図２の信号処置系の構成を示すブロック図である。
【図４】図３のプロセッサー部の構成を示すブロック図である。
【図５】図４のＣＰＵがモード選択操作に関連して実行する処理を示すフローチャートである。
【図６】図４のＤＳＰの通常動作時の機能ブロック図である。
【図７】本発明を適用するデジタルオーディオミキサーの使用状況を例示する図である。
【図８】本発明を適用するデジタルオーディオミキサーの自己診断時の入出力端子の接続関係を例示する図である。
【図９】入力端子と出力端子との具体的な接続形態を例示する図である。
【図１０】出力端子の数が少ない場合の自己診断時の入出力端子の接続関係を例示する図である。
【図１１】図４のＤＳＰのレベル測定時の機能ブロック図である。
【図１２】図４のＤＳＰのクロストーク測定時の機能ブロック図である。
【図１３】図４のＤＳＰのＳ／Ｎ比測定時の機能ブロック図である。
【図１４】図４のＤＳＰの高調波歪測定時の機能ブロック図である。
【図１５】図４のＤＳＰの周波数特性測定時の機能ブロック図である。
【符号の説明】
【００７５】
１  デジタルオーディオミキサー、  ２  アンプ、  １２  操作パネル、  １４  ＤＳＰ、  １５  ＣＰＵ、  ｉ１〜ｉ４  入力端子、  ｏ１〜ｏ４  出力端子
【図１】
2006235727.tif 000003
【図２】
2006235727.tif 000004
【図３】
2006235727.tif 000005
【図４】
2006235727.tif 000006
【図５】
2006235727.tif 000007
【図６】
2006235727.tif 000008
【図７】
2006235727.tif 000009
【図８】
2006235727.tif 000010
【図９】
2006235727.tif 000011
【図１０】
2006235727.tif 000012
【図１１】
2006235727.tif 000013
【図１２】
2006235727.tif 000014
【図１３】
2006235727.tif 000015
【図１４】
2006235727.tif 000016
【図１５】
2006235727.tif 000017